(57)【要約】【課題】  美麗で演出効果に優れているばかりか、保守や使用後ならびに日頃の処理も簡単で且つ廉価な宴用発光容器の発光方法および宴用発光装置を提供する。【解決手段】    混合したときに化学発光を生じるシュウ酸エステル成分液Ｂと過酸化物成分液Ａとの２液を、発光容器３に注入・混合させて発光容器３内に発光体を形成する際に、シュウ酸エステル成分液Ｂを異なる色彩を発光するもの又は過酸化物成分液Ａを異なる発光強度を有するものの内で少なくとも１つを経時的光容器３内の発光体の少なくとも一部にグラデーションを形成させる。【選択図】      図１
2006164694.tif 000002
【特許請求の範囲】
【請求項１】
混合したときに化学発光を生じるシュウ酸エステル成分液と過酸化物成分液との２液を容器に注入・混合させて発光容器内に発光体を形成する宴用発光装置の発光方法であって、前記シュウ酸エステル成分液と過酸化物成分液との２液を注入する際に、前記シュウ酸エステル成分液を異なる色彩を発光するもの又は前記過酸化物成分液を異なる発光強度を有するものの内で少なくとも１つを経時的に変化させて前記発光容器内の発光体の少なくとも一部にグラデーションを形成することを特徴する宴用発光容器の発光方法。
【請求項２】
混合したときに化学発光を生じるシュウ酸エステル成分液と過酸化物成分液との２液を容器に注入・混合させて発光容器内に発光体を形成する宴用発光装置の発光方法であって、前記シュウ酸エステル成分液と過酸化物成分液との２液を注入する際に、前記シュウ酸エステル成分液を異なる色彩を発光するもの又は前記過酸化物成分液を異なる発光強度を有するものの内で少なくとも１つを経時的に変化させて前記発光容器内の発光体の少なくとも一部にグラデーションを形成することを特徴する宴用発光容器の発光方法。
【請求項３】
混合したときに化学発光を生じるシュウ酸エステル成分液と過酸化物成分液の２液をそれぞれ収容した注器と、前記各注器内に収容した２液を注入・混合させて発光させる発光容器とからなり、前記注器の少なくとも一方は傾斜角によって収容物を注口から個別に注出可能な複数の収容部に異なる濃度の過酸化物成分液または異なる種類のシュウ酸エステル成分液が分離状態で収容されており、前記各注器を経時的に傾斜角度を増すように傾けてそれぞれに収容されているシュウ酸エステル成分液と過酸化物成分液とを各注出口から前記発光容器内に注出・混合して経時的に発光色または輝度の少なくとも一方を連続的に変化させたグラデーション形成した発光体を得ることを特徴とする宴用発光装置。
【請求項４】
前記注器が、外容器とその内側に形成された内容器とからなり、前記外容器には底部から外側斜め上方へ延びる注出口が突出されているとともに、前記内容器は壁面における外容器の収容物の液面よりも上方位置に外容器内に通じる通孔が形成されている請求項１，２または３に記載の宴用発光容器の発光方法または宴用発光装置。
【請求項５】
前記発光容器が、上方の発光容器本体に注いだ液体が溢れて下方の発光容器本体に流下するように複数の発光容器本体が上下方向に配置されているとともに、発光体が前記上方の発光容器本体から下方の発光容器本体にわたって連続して形成される請求項１，２，３または４記載の宴用発光容器の発光方法または宴用発光装置。
【発明の詳細な説明】
【技術分野】
【０００１】
本発明は、化学発光を利用した宴用発光容器の発光方法および宴用発光装置に関するものである。
【背景技術】
【０００２】
従来、例えば結婚式の披露宴などのような宴において、化学発光液を例えばシャンパンタワーなどの宴用発光容器内で発光させる宴用発光装置が用いられている。
【０００３】
この化学発光を利用した宴用発光装置は、例えば特開平１０−１７２３０１号公報に提示されており、図７に示すように、化学発光を生じるシュウ酸エステル成分液Ａと過酸化物成分液Ｂとの２液をそれぞれ収容した注器１，２を新郎と新婦が持って、シャンパンタワーなどの宴用発光容器３内に注ぎ化学発光を生じさせるものであり、通常のシャンパンタワーに比べて優れた装飾効果を発揮するものであり、特に、シャンパンタワーなどの宴用発光容器を用いる場合には発光液が上方から下方へと順次、流下するので恰も光が流れる如く装飾効果を発揮するのできわめて豪華で美麗である。
【０００４】
ところが、従来の宴用発光装置は、化学発光を生じるシュウ酸エステル成分液Ａと過酸化物成分液Ｂとの２液をそれぞれ収容した注器１，２を新郎と新婦が持って、シャンパンタワーなどの宴用容器に注ぐだけのものであり、装置および操作も簡単であるが、反面、生じる化学発光の色彩や輝度などは１種類に限られてしまうので物足りない。
【０００５】
そこで、色彩の種類や輝度の度合いの異なる複数種類の化学発光を生じるシュウ酸エステル成分液と過酸化物成分液とを用意しておき、これらの組み合わせを変化させることにより流れる化学発光液を変化させてより優れた演出を可能にする宴用の発光装置が特開２０００−１６４００１号公報に提示されている。
【０００６】
この公報に提示されている宴用の発光装置は予め用意してある複数種類の化学発光を生じるシュウ酸エステル成分液と過酸化物成分液を、ポンプや加圧装置を用いて機械的に制御することにより混合させるシュウ酸エステル成分液と過酸化物成分液の種類を経時的に変化させて各種の発光容器に注ぐものである。
【０００７】
従って、従来の化学発光を生じるシュウ酸エステル成分液と過酸化物成分液との２液をそれぞれ収容した注器を新郎と新婦が持って、シャンパンタワーなどの宴用発光容器内に注ぎ化学発光を生じさせるものに比べて華麗な演出が可能である。
【０００８】
ところが、この演出は、機械の操作により行うもので例えば新郎・新婦が自ら操作をするというような人間的な演出が行えず参加者はただ観覧するだけで参加しているという実感を得ることができない。
【０００９】
また、発光装置が複雑となり、発光前後の発光液の管理を含めて保守・点検が必要できわめて面倒であり、特に、この種の発光装置は宴の途中で使用されるので故障や障害の発生は許されず常に気を付けていなければならず、更に、価格も高価で設置場所或いは保管場所も必要である等の各種の問題点がある。
【特許文献１】特開平１０−１７２３０１号公報
【特許文献２】特開２０００−１６４００１号公報
【発明の開示】
【発明が解決しようとする課題】
【００１０】
本発明が解決しようとする課題は、前記従来の例えば新郎・新婦のような参加者が注器を傾けて発光容器に発光液を注ぐだけの簡単且つ人的な操作によって、発光液の色彩や輝度などに連続的な変化を与え、従って、美麗で演出効果に優れているばかりか、保守や使用後ならびに日頃の処理も簡単で且つ廉価な宴用発光容器の発光方法および宴用発光装置を提供するものである。
【課題を解決するための手段】
【００１１】
前記課題を解決するため、本発明である宴用発光容器の発光方法は、混合したときに化学発光を生じるシュウ酸エステル成分液と過酸化物成分液との２液を、発光容器に注入・混合させて発光容器内に発光体を形成する際に、前記シュウ酸エステル成分液と過酸化物成分液との２液を注入する際に、前記シュウ酸エステル成分液を異なる色彩を発光するもの又は前記過酸化物成分液を異なる発光強度を有するものの内で少なくとも１つを経時的に変化させて前記発光容器内の発光体の少なくとも一部にグラデーションを形成すること、または、前記シュウ酸エステル成分液と過酸化物成分液との２液を注入する際に、前記シュウ酸エステル成分液を異なる色彩を発光するもの又は前記過酸化物成分液を異なる発光強度を有するものの内で少なくとも１つを経時的に変化させて前記発光容器内の発光体の少なくとも一部にグラデーションを形成することを特徴とする。
【００１２】
また、本発明である宴用発光装置は、混合したときに化学発光を生じるシュウ酸エステル成分液と過酸化物成分液の２液をそれぞれ収容した注器と、前記各注器内に収容した２液を注入・混合させて発光させる発光容器とからなり、前記注器の少なくとも一方は傾斜角によって収容物を抽出口から個別に注出可能な複数の収容部に異なる濃度の過酸化物成分液または異なる種類のシュウ酸エステル成分液が分離状態で収容されており、前記各注器を経時的に傾斜角度を増すように傾けてそれぞれに収容されているシュウ酸エステル成分液と過酸化物成分液とを各注出口から前記発光容器内に注出・混合して経時的に発光色または輝度の少なくとも一方を連続的に変化させたグラデーション形成した発光体を得ることを特徴とし、前記注器が、外容器とその内側に形成された内容器とからなり、前記外容器には底部から外側斜め上方へ延びる注出口が突出されているとともに、前記内容器は壁面における外容器の収容物の液面よりも上方位置に外容器内に通じる通孔が形成されており、更に、前記内容器が縦方向に分割された複数の筒体により形成されているとともに前記各筒体に形成された外容器へ通じる通孔の形成高さ位置が互いに異なる場合、更にまた、発光容器が上方の発光容器本体に注いだ液体が溢れて下方の発光容器本体に流下するように複数の発光容器本体が上下方向に配置されているとともに、発光体が前記上方の発光容器本体から下方の発光容器本体にわたって連続して形成されていると好ましい。
【発明の効果】
【００１３】
本発明によれば、従来の前記従来の例えば新郎・新婦のような参加者が注器を傾けて発光容器に発光液を注ぐだけの簡単な操作でよく、即ち、使用の際に、混合したときに化学発光を生じるシュウ酸エステル成分液と過酸化物成分液の２液を注器に用意するだけの簡単な準備で、発光容器内に色彩や輝度が連続的に変化する発光液或いは発光液流を形成することが可能であり、優れた演出効果を挙げることができる。
【発明を実施するための最良の形態】
【００１４】
次に、本発明を実施するための形態について図面を参照して具体的に説明する。
【００１５】
図１は本発明の好ましい実施の形態の一例を示すものであり、例えば図１（ａ）に示すように、新郎と新婦がそれぞれ把持する例えばガラス製の二つの注器１および２を用い、前記一方の注器１は従来の注器と同様に底部から外側斜め上方へ延びる注出口１１が突出されているとともに、もう一方の注器２は、底部から外側斜め上方へ延びる注出口２１が突出されている外容器２２とその内側に形成された筒形の内容器２３とからなり、内容器２３は壁面における外容器の収容物の液面予定位置２４よりも上方位置に外容器２２内に通じる通孔２５が形成されている。
【００１６】
そして、一方の注器１には例えば過酸化水素やサリチル酸ナトリウムなどの触媒からなる過酸化物成分液Ａを例えば５００ｃｃ程度を収容し、もう一方の注器２には外容器２２に例えば前記過酸化物成分液Ａと混合したとき青色を発光する第１のシュウ酸エステル成分液Ｂ１が４００ｃｃ程度、内容器２３に例えば前記過酸化物成分液Ａと混合したとき橙色を発光する第２のシュウ酸エステル成分液Ｂ２が１００ｃｃ程度をそれぞれ収容する。
【００１７】
これらの発光液の準備は使用する際に必要量を注器１，２に注ぎ入れればよく、使用時以外は、通常のティポット等と同様に保管しておける。
【００１８】
次いで、宴において本実施の形態を使用するには、図１（ｂ）に示すように、注器１，２を例えば新郎と新婦がそれぞれ把持して注出口１１，２１方向に向かって次第に傾けると、注器１の注出口１１からは過酸化物成分液Ａが発光容器３内に注がれ、注器２では、内容器２３に貯留されている第２のシュウ酸エステル成分液Ｂ２は壁面における外容器２２への通孔２５が外容器２２に収容されている第１のシュウ酸エステル成分液Ｂ１液面よりも上方位置にあるので注器２の傾きが少ない間は外容器２２内に流れることがなく、始めの内は注出口２１から外容器２２に収容してあった第１のシュウ酸エステル成分液Ｂ１が発光容器３内に注がれる。
【００１９】
従って、発光容器３内では過酸化物成分液Ａと第１のシュウ酸エステル成分液Ｂ１とが混合して青色に発光する。
【００２０】
そのまま注器１，２を傾けて内容物を注出させると、注器１からは過酸化物成分液Ａが引き続いて注出口２１から注出するが、図１（ｃ）に示すように、注器２は、外容器２２に収容してあった第１のシュウ酸エステル成分液Ｂ１が出きってしまい、更に注器２が傾くと、内容器２３に貯留されている第２のシュウ酸エステル成分液Ｂ２が壁面における外容器２２への通孔２５から外容器２２へと流れ、注出口２１から発光容器３内に注がれる。
【００２１】
そのため、最初に青色に発光していた発光容器３内は、橙色に発光する第２のシュウ酸エステル成分液Ｂ２が注がれるので青色が橙色と混じってグラデーションを形成しながら順次変色するので従来の色彩が変化しないものに比べてきわめて大きな演出効果を挙げることができる。
【００２２】
特に、発光容器３として図２に示すように、上方の発光容器本体に注いだ液体が溢れて下方の発光容器本体に流下するように複数の発光容器本体５が上下方向に配置されている場合には、注器１，２から注がれて発光した発光体が上方の発光容器本体から下方の発光容器本体にわたって連続して流下するので下方から上方へ青色から橙色へと変化するとともに、特に両色の境にはグラデーションの光が流れるので一層の演出効果が発揮される。
【００２３】
このように本実施の形態では、二重構造の注器２を用いるだけの簡単な設備で、しかも従来の注器を用いたものと同様な使用方法で優れた演出効果を得ることができてる。また、使用した注器１，２および発光容器３は、洗浄して保管し次の使用に備えればよく、きわめて簡単である。
【００２４】
図３は本発明の異なる実施の形態を示すものであり、注器２は従来のものと同様の一重構造でシュウ酸エステル成分液Ｂが収容されており、注器１が前記図１に示した実施の形態に示した注器２と同様な二重構造で内容器１３と外容器１２にそれぞれ濃度の異なる過酸化物成分液Ａ１，Ａ２が収容されている。
【００２５】
本実施の形態の使用方法は前記図１に示したものと同様であり、本実施の形態では発光途中で色彩の変化はないが、輝度が変化し、変化の前後に輝度によるグラデーションが形成される。
【００２６】
また、図４は本発明の更に異なる実施の形態を示すものであり、注器１，２共に二重構造であり、注器１の内容器１３と外容器１２にそれぞれ濃度の異なる過酸化物成分液Ａ１，Ａ２が収容されているとともに、注器２の外容器２２に第１のシュウ酸エステル成分液Ｂ１が内容器２３に第２のシュウ酸エステル成分液Ｂ２がそれぞれ収容されている。
【００２７】
本実施の形態によれば、発光途中で発光色と輝度とが変化するので更に優れた演出効果が得られる。
【００２８】
更に、図５は発光途中で発光色と輝度とを変化させるための本発明の異なる実施の形態を示すものであり、注器１の内容器１３に第２のシュウ酸エステル成分液Ｂ２、外容器１２に過酸化物成分液Ａ１を、注器２の外容器２２に第１のシュウ酸エステル成分液Ｂ１を内容器２３に第２の過酸化物成分液Ａ２を収容したものである。
【００２９】
尚、本実施の形態は、発光途中で発光色と輝度とを変化させることができるばかりか、注器１または２の何れか一方だけでも発光が可能であり、一方の注器１または２の抽出が終わってから次の注器を用いることにより、最初に無色の部分から発光させて更に異なる発光色並びに輝度の変化へとより変化に富んだ演出を可能にすることができる。
【００３０】
更にまた、図６は本発明に用いられる注器１（２）の異なる実施例を示すものであり、内容器１３（２３）が縦方向に分割された２つの筒体１３ａ，１３ｂ（２３ａ，２３ｂ）により形成されているとともに各筒体１３ａ，１３ｂ（２３ａ，２３ｂ）に形成された外容器１２(２２)へ通じる通孔２５ａ，２５ｂの形成高さ位置が互いに異なる。
【００３１】
本実施の形態によれば、１つの注器１（２）内に外容器１２（２２）、各筒体１３ａ，１３ｂ（２３ａ，２３ｂ）と３種類の過酸化物成分液Ａ１，Ａ２，Ａ３またはシュウ酸エステル成分液Ｂ１，Ｂ２，Ｂ３を収容可能であり、１つのの注器１または２だけを用いたとしても３種類の変化が可能であり、より一層の演出効果を期待することができる。
【００３２】
尚、本実施の形態では内容器１３（２３）が縦方向に分割された２つの筒体１３ａ，１３ｂ（２３ａ，２３ｂ）により形成されている場合を示したが、更に数を増やしてもよく、増やすことにより色彩や輝度などきわめて複雑な演出効果を発揮させることができる。
【００３３】
尚、前記各実施の形態は本発明の一例であって、注器、シュウ酸エステル成分液、過酸化物成分液を適宜選択することにより、色彩、輝度なとど多くのバリエーションによる演出効果を挙げることができるものである。
【図面の簡単な説明】
【００３４】
【図１】本発明の好ましい実施の形態および使用方法を示す説明図。
【図２】本発明の実施の形態に用いる発光容器の実施例を示す説明図。
【図３】本発明の別の実施の形態を示す説明図。
【図４】本発明の異なる実施の形態を示す説明図。
【図５】本発明の更に異なる実施の形態を示す説明図。
【図６】本発明の実施の形態に用いる注器の実施例を示す説明図。
【図７】従来例を示す説明図。
【符号の説明】
【００３５】
１  注器、２  注器、３  発光容器、Ａ  過酸化物成分、Ｂ  シュウ酸エステル成分
【図１】
2006164694.tif 000003
【図２】
2006164694.tif 000004
【図３】
2006164694.tif 000005
【図４】
2006164694.tif 000006
【図５】
2006164694.tif 000007
【図６】
2006164694.tif 000008
【図７】
2006164694.tif 000009